(57)【要約】
【課題】　一回注入で流体を流体蓄積体全体内に充填することができ、且つ、局所的に破裂する場合に流体の漏洩が局所的に制限される流体蓄積装置を提供する。
【解決手段】　流体蓄積体１と、流体を前記流体蓄積体１内に充填してそれを密閉する充填密閉機構とを備えた流体蓄積装置であって、前記流体蓄積体１は、その内部に設けられた複数の流体蓄積空間１０を備え、前記充填密封機構は、大気と連通する部分を前記複数の流体蓄積空間１０と同数に分流し、それぞれ一方向弁２を経由して前記複数の流体蓄積空間１０の入り口１０１と接続し、また、前記大気と連通する部分に、押入されると前記各一方向弁２を開けて前記各流体蓄積空間を開放させる流体注入ユニット３及び弁作動ユニット４を備えてなる制御手段を配置している。
【選択図】　図２
0003099548.tif 000002
【実用新案登録請求の範囲】
【請求項１】
　流体蓄積体と、流体を前記流体蓄積体内に充填してそれを密閉する充填密閉機構とを備えた流体蓄積装置であって、
　前記流体蓄積体は、その内部に設けられた複数の流体蓄積空間を備え、
　前記充填密封機構は、大気と連通する部分を前記複数の流体蓄積空間と同数に分流し、それぞれ一方向弁を経由して前記複数の流体蓄積空間の入り口と接続し、また、前記大気と連通する部分に、押入されると前記各一方向弁を開けて前記各流体蓄積空間を開放させる制御手段を配置したことを特徴とする流体蓄積装置。
【請求項２】
　前記各一方向弁は、
　その両端が開口し、且つ、前記複数の流体蓄積空間中のそれと対応する一つの入り口に嵌入してその中空部分が前記流体蓄積空間と連通している中空状の弁座と、
　長尺状であって、一端部が前記制御手段側の前記弁座外に突出し、他端部が前記弁座と前記流体蓄積空間との連通を付勢手段によって常時に封止するように前記弁座の中空部分内に挿入配置され、前記一端部が前記弁座内の方向へ押入されると、前記封止が解除されて開放位置に移動するように配置構成されている弁ユニットとにより構成されていることを特徴とする請求項１に記載の流体蓄積装置。
【請求項３】
　前記制御手段は、
　両端が開口し、且つ、前記流体蓄積体に連結し、隙間、そして前記複数の弁ユニットを経由して前記複数の弁座の中空部分と連通している中空状の流体注入ユニットと、
　前記流体注入ユニットの中空部内に設けられており、押入されると、前記隙間を移動して前記複数の一方向弁の各弁ユニットの前記一端部を同時に押し、前記複数の弁ユニットを開放位置に移動させるように配置構成されている弁作動ユニットとにより構成されていることを特徴とする請求項２に記載の流体蓄積装置。
【請求項４】
　前記流体蓄積体は、
　それぞれの開口が同一側に位置している複数の充填用空間が形成された膨張可能な膨張体と、
　一端部が完全に開口し、この開口によって前記流体注入ユニットと連接し、他端部が前記複数の充填用空間の開口とそれぞれ対応する複数の貫通孔を経由して開口している中空の継ぎ手と、
　前記継ぎ手の前記複数の貫通孔と前記複数の充填用空間の開口とをそれぞれ連接して連通状態とし、前記充填用空間全体と該充填用空間から前記弁座までの前記貫通孔を含めた空間を前記複数の流体蓄積空間とする複数のニップルとにより構成されていることを特徴とする請求項３に記載の流体蓄積装置。
【請求項５】
　前記複数の一方向弁は、輪をなすように配列され、
　前記流体注入ユニットの中空部の開口は、前記輪のほぼ中央部へ向いており、
　前記弁作動ユニットは、両端が開口した中空体であり、その中空部が前記複数の一方向弁の弁座の中空部分と連通するように前記流体注入ユニット内に遊嵌し、且つ、その一方向弁寄りの端部に、前記隙間内に介在して前記複数の一方向弁の弁ユニットの前記一端部の一部だけと当接している押し部が、前記弁ユニットの長手方向を中心とした放射方向に張り出されていることを特徴とする請求項３に記載の流体蓄積装置。
【請求項６】
　前記各弁ユニットは、
　両端が開口して周面に穴が形成されている中空ロッドと、
　一側が前記弁作動ユニットの前記押し部と一部だけ当接し、他側が前記弁座内に遊嵌するように前記中空ロッドの一端部の外周に固定され、前記弁作動ユニットの中空部を前記中空ロッドの中空部及び前記周面の穴を介して前記弁座の中空部分と連通させている被作動部材と、
　前記中空ロッドの他端部の先端に設けられている弁体を備え、
　前記付勢手段は、前記中空ロッドの周りに設けられて前記弁体を前記弁座と常時に密接させ、前記中空ロッドの中空部及び前記弁座の中空部分と前記対応の流体蓄積空間との間を連通不能にさせ、
　前記中空ロッドの前記周面の穴は、該中空ロッドの前記他端部あたりに形成され、且つ、前記弁ユニットが開放位置に移動されると、前記弁体が前記弁座から分離し、前記中空ロッドの中空部を前記周面の穴を経由して前記対応の流体蓄積空間と連通するように構成されていることを特徴とする請求項５に記載の流体蓄積装置。
【請求項７】
　前記弁作動ユニットは、
　前記長尺方向に通孔が形成されている作動ロッドと、
　両端が開口している管状であって、その一端部が前記作動ロッドの前記通孔の前記弁座寄りの開口内に挿入固定され、他端部が前記押し部となっている押し手段と、
　前記押し手段に付勢力を与えて前記流体注入ユニットと常時に密接させるように設けられている付勢手段とにより構成されていることを特徴とする請求項５に記載の流体蓄積装置。
【考案の詳細な説明】
【技術分野】
【０００１】
　本考案は、流体蓄積装置に関し、特に気体や液体等の流体を蓄積するための流体蓄積装置に関する。
【背景技術】
【０００２】
　流体蓄積装置としては、空気を蓄積するタイヤやエアーシャフト、液体を蓄積する生ビール樽や炭酸飲料タンク、液化気体を蓄積する特殊ガスボンベ等が知られている。これらの流体蓄積装置は、一般に、流体蓄積空間が形成された流体蓄積体と、流体を前記流体蓄積空間内に充填して密閉する充填密閉機構とからなる。
【考案の開示】
【考案が解決しようとする課題】
【０００３】
　上述したような流体蓄積装置を使用する場合、前記流体蓄積体が一旦破裂したら、前記流体蓄積空間内に充填した流体はほとんど残らずに漏洩してしまうという欠点がある。
【０００４】
　タイヤを例として説明すると、運転中に鋭い物が刺さって破裂すると、タイヤ内の空気が一気に漏洩してしまうため、急に運転不能になり、追突や転覆等の事故をもたらす、という事例がある。
【０００５】
　また、エアーシャフトを例として説明する。エアーシャフトとは、紙等を巻き取って巻き紙を作るための芯管内に挿入してから、空気の注入によって流体蓄積体を膨張させ、流体蓄積体内の複数ラグを突出させて該芯管を支持し、更に、それを回転し、芯管で紙を巻取るものである。紙の巻取り中に前記流体蓄積体が摩擦や他の原因で破裂すると、エアーシャフト全体が直ちに崩れて芯管への支持力を忽ち失ってしまうため、芯管に巻き取られた紙が不均一になるのみならず、巻取り作業も全然不能になる、という現場での事例も少なくない。
【０００６】
　本考案は、上記のような点に鑑みてなされたものであり、上記問題を解消すべく、一回注入で流体を流体蓄積体全体内に充填することができ、且つ、局所的に破裂する場合に流体の漏洩が局所的に制限される流体蓄積装置を提供することを目的とする。
【課題を解決するための手段】
【０００７】
　本考案の流体蓄積装置は、流体蓄積体と、流体を前記流体蓄積体内に充填してそれを密閉する充填密閉機構とを備えた流体蓄積装置であって、前記流体蓄積体は、その内部に設けられた複数の流体蓄積空間を備え、前記充填密封機構は、大気と連通する部分を前記複数の流体蓄積空間と同数に分流し、それぞれ一方向弁を経由して前記複数の流体蓄積空間の入り口と接続し、また、前記大気と連通する部分に、押入されると前記各一方向弁を開けて前記各流体蓄積空間を開放させる制御手段を配置した点に特徴を有する。
【０００８】
　また、本考案の流体蓄積装置の他の特徴とするところは、前記各一方向弁は、その両端が開口し、且つ、前記複数の流体蓄積空間中のそれと対応する一つの入り口に嵌入してその中空部分が前記流体蓄積空間と連通している中空状の弁座と、長尺状であって、一端部が前記制御手段側の前記弁座外に突出し、他端部が前記弁座と前記流体蓄積空間との連通を付勢手段によって常時に封止するように前記弁座の中空部分内に挿入配置され、前記一端部が前記弁座内の方向へ押入されると、前記封止が解除されて開放位置に移動するように配置構成されている弁ユニットとにより構成されている点にある。
【０００９】
　また、本考案の流体蓄積装置の他の特徴とするところは、前記制御手段は、両端が開口し、且つ、前記流体蓄積体に連結し、隙間、そして前記複数の弁ユニットを経由して前記複数の弁座の中空部分と連通している中空状の流体注入ユニットと、前記流体注入ユニットの中空部内に設けられており、押入されると、前記隙間を移動して前記複数の一方向弁の各弁ユニットの前記一端部を同時に押し、前記複数の弁ユニットを開放位置に移動させるように配置構成されている弁作動ユニットとにより構成されている点にある。
【００１０】
　また、本考案の流体蓄積装置の他の特徴とするところは、前記流体蓄積体は、それぞれの開口が同一側に位置している複数の充填用空間が形成された膨張可能な膨張体と、一端部が完全に開口し、この開口によって前記流体注入ユニットと連接し、他端部が前記複数の充填用空間の開口とそれぞれ対応する複数の貫通孔を経由して開口している中空の継ぎ手と、前記継ぎ手の前記複数の貫通孔と前記複数の充填用空間の開口とをそれぞれ連接して連通状態とし、前記充填用空間全体と該充填用空間から前記弁座までの前記貫通孔を含めた空間を前記複数の流体蓄積空間とする複数のニップルとにより構成されている点にある。
【００１１】
　また、本考案の流体蓄積装置の他の特徴とするところは、前記複数の一方向弁は、輪をなすように配列され、前記流体注入ユニットの中空部の開口は、前記輪のほぼ中央部へ向いており、前記弁作動ユニットは、両端が開口した中空体であり、その中空部が前記複数の一方向弁の弁座の中空部分と連通するように前記流体注入ユニット内に遊嵌し、且つ、その一方向弁寄りの端部に、前記隙間内に介在して前記複数の一方向弁の弁ユニットの前記一端部の一部だけと当接している押し部が、前記弁ユニットの長手方向を中心とした放射方向に張り出されている点にある。
【００１２】
　また、本考案の流体蓄積装置の他の特徴とするところは、前記各弁ユニットは、両端が開口して周面に穴が形成されている中空ロッドと、一側が前記弁作動ユニットの前記押し部と一部だけ当接し、他側が前記弁座内に遊嵌するように前記中空ロッドの一端部の外周に固定され、前記弁作動ユニットの中空部を前記中空ロッドの中空部及び前記周面の穴を介して前記弁座の中空部分と連通させている被作動部材と、前記中空ロッドの他端部の先端に設けられている弁体を備え、前記付勢手段は、前記中空ロッドの周りに設けられて前記弁体を前記弁座と常時に密接させ、前記中空ロッドの中空部及び前記弁座の中空部分と前記対応の流体蓄積空間との間を連通不能にさせ、前記中空ロッドの前記周面の穴は、該中空ロッドの前記他端部あたりに形成され、且つ、前記弁ユニットが開放位置に移動されると、前記弁体が前記弁座から分離し、前記中空ロッドの中空部を前記周面の穴を経由して前記対応の流体蓄積空間と連通するように構成されている点にある。
【００１３】
　また、本考案の流体蓄積装置の他の特徴とするところは、前記弁作動ユニットは、前記長尺方向に通孔が形成されている作動ロッドと、両端が開口している管状であって、その一端部が前記作動ロッドの前記通孔の前記弁座寄りの開口内に挿入固定され、他端部が前記押し部となっている押し手段と、前記押し手段に付勢力を与えて前記流体注入ユニットと常時に密接させるように設けられている付勢手段とにより構成されている点にある。
【考案の効果】
【００１４】
　本考案によれば、制御手段により複数の一方向弁を開けることができるので、流体を複数の流体蓄積空間内に同時に充填することができ、その後、複数の一方向弁により流体を各流体蓄積空間内に分室隔離し蓄積することができる。したがって、衝撃や鋭い物に刺される等の原因により破裂した場合でも、破裂部分の少数の流体蓄積空間内の流体のみが漏出するだけであり、他の流体蓄積空間内の流体に影響をもたらさない。
【考案を実施するための最良の形態】
【００１５】
　以下、図面を参照して、本考案の流体蓄積装置の好適な実施形態について説明する。図１は、本実施形態の流体蓄積装置を示す分解斜視図である。図２は、本実施形態の流体蓄積装置の組立状態での断面図である。図１及び図２に示すように、この流体蓄積装置は、流体蓄積体１と、流体を前記流体蓄積体１内に充填して密閉する充填密閉機構とを備える。前記流体蓄積体１は、膨張可能な膨張体１１と、中空の継ぎ手１３と、複数のニップル１４とにより構成されている。また、前記充填密閉機構は、流体注入ユニット３及び弁作動ユニット４を備えてなる制御手段と、複数の一方向弁２とにより構成されている。
【００１６】
　まず、前記流体蓄積体１について詳細に説明すると、前記膨張可能な膨張体１１には複数の充填用空間１１１が形成されており、当該複数の充填用空間１１１それぞれの開口は前記膨張体１１の同一側に位置している。本実施形態において、前記膨張体１１の断面は円形とされ、その円形断面上に前記複数の充填用空間１１１の開口が輪をなすように配列されている。
【００１７】
　前記中空の継ぎ手１３は、円筒状であって、その一端部１３１が完全に開口し、この開口によって前記流体注入ユニット３の端部を外嵌して締め付け、他端部１３２が前記複数の充填用空間１１１の開口とそれぞれ対応する複数の貫通孔１３２１を経由して開口している。
【００１８】
　前記複数のニップル１４は、前記複数の貫通孔１３２１と前記複数の充填用空間１１１の開口とをそれぞれ連接して連通状態とし、複数の流体蓄積空間１０を形成している。該複数の流体蓄積空間１０は、前記充填用空間全体１１１と該充填用空間１１１から後述する弁座２１までの前記貫通孔１３２１を含めた空間であり、前記複数の流体蓄積空間１０の入り口１０１は輪をなすように配列されている。より詳細に説明すると、前記各ニップル１４の一端１４１は対応する貫通孔１３２１とねじ合っている。また、前記各ニップル１４の他端１４２は先端に向かうにつれて拡径し、対応する充填用空間１１１の開口内に挿入されて該開口を広げている。この場合に、前記膨張体１１の開口近くの部分が前記ニップル１４の挿入により変形することを防止するために、前記開口近くの外周に締付リング１２が設けられている。
【００１９】
　次に、前記充填密閉機構について詳細に説明すると、前記複数の一方向弁２は、図２及び図３に示すように、いずれも、中空状の弁座２１と、弁ユニット２２とにより構成される。前記中空状の弁座２１は、その両端が開口し、ねじ付けにより前記複数の流体蓄積空間１０中のそれと対応する一つの入り口１０１に嵌入してその中空部分が前記流体蓄積空間１０と連通している。前記弁ユニット２２は、長尺状であって、一端部が前記流体注入ユニット３側の前記弁座２１外に突出し、他端部が前記弁座２１と前記流体蓄積空間１０との連通をばね等の付勢手段２３によって常時に封止するように前記弁座２１の中空部分内に挿入配置され、且つ、前記一端部が前記弁座２１内の方向へ押入されると、封止が解除されて図２及び図３のような封止位置から図４及び図５のような開放位置に移動するように配置構成されている。
【００２０】
　更に詳細に説明すると、前記各弁ユニット２２は、いずれも、中空ロッド２２１と、側面Ｔ字形の被作動部材２２２と、弁体２２３とをにより構成されている。前記中空ロッド２２１は、両端が開口して、周面には一対の穴２２１１，２２１１が形成されている。前記被作動部材２２２は、前記弁ユニット２２の前記一端部として、その一側２２２１が前記弁座２１と隙間を開け、他側２２２２がねじ付けにより前記弁座２１内に遊嵌するように前記中空ロッド２２１の一端部の外周に固定されている。前記弁体２２３は、前記弁ユニット２２の前記他端部として前記中空ロッド２２１と一体に成形されており、前記弁座２１の内周面から内側へ張出したフランジ２１１と当接するように前記中空ロッド２２１の他端部の先端に設けられている。前記中空ロッド２２１の周面の一対の穴２２１１，２２１１は、該中空ロッド２２１の前記他端部付近に形成されている。
【００２１】
　また、前記付勢手段２３は、前記中空ロッド２２１の周りで前記フランジ２２１と前記被作動部材２２２との間に設けられており、前記弁体２２３を前記弁座２１の前記フランジ２１１と常時に密接させ、図３の矢印に示すように、前記中空ロッド２２１の中空部及び前記弁座２１の中空部分と前記対応の流体蓄積空間１０との間を連通不能にさせている。前記被作動部材２２２の一側２２２１が前記弁座２１内の方向へ押入されて前記弁座２１と当接するように図４及び図５のような開放位置に移動されると、前記弁体２２３が前記フランジ２１１から分離し、図５の矢印に示すように、前記中空ロッド２２１の中空部を前記周面の一対の穴２２１１，２２１１を経由して前記対応の流体蓄積空間１０と連通するように構成されている。
【００２２】
　前記流体注入ユニット３は、図１及び図２に示すように、両端が開口した中空体であって、前記流体蓄積体１の前記継ぎ手１３の前記一端部１３１に連結し、隙間、そして前記複数の弁ユニット２２を経由して前記複数の弁座２１の中空部分と連通している。
【００２３】
　前記弁作動ユニット４は、前記流体注入ユニット３の中空部内に設けられており、押入されると、前記隙間を移動して前記複数の一方向弁２の各弁ユニット２２の前記被作動部材２２２を同時に押し、前記複数の弁ユニット２２を図２の封止位置から図４の開放位置に移動させるように配置構成されている。
【００２４】
　また、前記複数の一方向弁２は輪をなすように配列され、前記流体注入ユニット３の中空部の開口は、前記輪のほぼ中央部へ向いている。前記弁作動ユニット４は、両端が開口した中空体であり、その中空部が前記複数の一方向弁２の弁座２１の中空部分と連通するように前記流体注入ユニット３内に遊嵌し、且つ、その一方向弁２寄りの端部に、前記隙間内に介在して前記複数の一方向弁２の各弁ユニット２２の前記被作動部材２２２の前記一側２２２１の一部だけと当接している押し部４１１が、前記弁ユニット２２の長手方向を中心とした放射方向に張り出されている。
【００２５】
　更に詳細に説明すると、前記弁作動ユニット４は、図１及び図２に示すように、押し手段４１と、制限ブロック４２と、作動ロッド４３と、ばね等の付勢手段４４とにより構成されている。前記制限ブロック４２は、円環状であって、ねじ付けにより前記流体注入ユニット３の中空部の前記一方向弁２寄りの開口内に内嵌固定されている。前記作動ロッド４３は、長尺方向に通孔４３１が形成され、一端部４３３が比較的に大であって前記流体注入ユニット３の内周面と当接し、他端部４３４が前記制限ブロック４２内に遊嵌している。前記押し手段４１は、両端が開口している管状であって、その一端部がねじ付けにより前記作動ロッド４３の前記他端部４３４内に挿入固定され、他端部が前記押し部４１１となっている。
【００２６】
　また、前記付勢手段４４は、前記作動ロッド４３の外周の前記一端部４３３と前記制限ブロック４２との間に設けられており、前記押し手段４１に付勢力を与えて前記押し手段４１を前記流体注入ユニット３の奥側と常時に密接させている。それにより、前記作動ロッド４３の一端部４３３が前記一方向弁２の方向へ押入されると、前記押し手段４１の前記押し部４１１により前記各弁ユニット２２の前記被作動部材２２２を押して前記各弁ユニット２２を開放位置に同時に移動させることができる。
【００２７】
　以上説明した流体蓄積装置において、実際に、流体を前記流体蓄積体１内へ充填しようとする場合、空気ガンや水管等の充填手段を前記作動ロッド４３の通孔４３１内に挿入し、前記作動ロッド４３を押入しながら流体を注入する。このとき、流体は、大気と連通する前記弁作動ユニット４の中空部を経由して前記流体蓄積体１内に入って前記複数の流体蓄積空間１０と同数に分流し、それぞれ前記一方向弁２及び前記対応の入り口１０１を経由して前記各流体蓄積空間１０内に充填される。
【００２８】
　流体の充填が完了した後、前記充填手段を前記通孔４３１から抜き出すと、前記弁作動ユニット４の付勢手段４４の付勢力及び前記各一方向弁２の付勢手段２３の付勢力によって前記各流体蓄積空間１０を密閉することができる。
【００２９】
　なお、空気ガンや水管等の充填手段を前記作動ロッド４３と接触させずに前記流体注入ユニット３の中空部内に挿入し、流体流出の圧力によって前記作動ロッド４３を押入し、前記弁ユニット２２を開放位置に移動させることもできる。
【００３０】
　流体を外部へ流出させる場合は、前記作動ロッド４３を押入することのみによって前記各流体蓄積空間１０内に充填された流体を元の経路に沿って流出させることができる。
【００３１】
　上記構成とした流体蓄積装置では、空気ガンや水管等の充填手段の挿入により前記複数の一方向弁２を開けることができるので、流体を前記複数の流体蓄積空間１０内に同時に充填することができる。そして、注入後に前記充填手段を抜き出すと、前記複数の一方向弁２により流体を各流体蓄積空間１０内に分室隔離し蓄積することができる。したがって、衝撃や鋭い物に刺される等の原因により破裂した場合でも、破裂部分の少数の流体蓄積空間１０内の流体のみが漏出するだけであり、他の流体蓄積空間１０内の流体に影響をもたらさない。
【００３２】
　例えば前記流体蓄積装置をタイヤに応用する場合、前記膨張体としての膨張可能なタイヤ内部が複数の独立の空気蓄積空間に分けられるので、運転中にタイヤに鋭い物が刺さって破裂するようなときでも、少数の空気蓄積空間内の空気だけが漏れるので、運転にほとんど影響を与えず、追突や転覆等の事故の発生を避けて運転の安全性を向上させることができる。
【００３３】
　また、エアーシャフトに応用する場合、紙の巻取り中に気体蓄積体が破裂しても、一部だけの蓄積空間内の空気が漏出するため、芯管への支持力がそのまま存在し、紙の巻き具合にほとんど影響を与えず、且つ、巻取り作業を直ちに止める必要がないので、現場管理にとって非常に便利である。
【００３４】
　なお、上記実施の形態において示した各部の形状及び構造は、何れも本考案を実施するにあたっての具体化のほんの一例を示したものに過ぎず、これらによって本考案の技術的範囲が限定的に解釈されてはならないものである。すなわち、本考案はその精神、又はその主要な特徴から逸脱することなく、様々な形で実施することができる。
【図面の簡単な説明】
【００３５】
【図１】本実施形態の流体蓄積装置を示す分解斜視図である。
【図２】本実施形態の流体蓄積装置の組立状態での断面図であり、弁ユニットが封止位置にある状態を示す図である。
【図３】図２のＡ部分拡大図である。
【図４】本実施形態の流体蓄積装置の組立状態での断面図であり、弁ユニットが開放位置にある状態を示す図である。
【図５】図４のＢ部分の拡大図である。
【符号の説明】
【００３６】
　１　　　　流体蓄積体
　１０　　　流体蓄積空間
　１０１　　入り口
　１１　　　膨張体
　１１１　　膨張体の開口
　１２　　　締付リング
　１３　　　継ぎ手
　１３１　　継ぎ手の一端部
　１３２　　継ぎ手の他端部
　１３２１　貫通孔
　１４　　　ニップル
　１４１　　ニップルの一端部
　１４２　　ニップルの他端部
　２　　　　一方向弁
　２１　　　弁座
　２１１　　フランジ
　２２　　　弁ユニット
　２２１　　中空ロッド
　２２１１　周面の孔
　２２２　　被作動部材
　２２２１　被作動部材の一側
　２２２２　被作動部材の他側
　２２３　　弁体
　２３　　　付勢手段
　３　　　　流体注入ユニット
　４　　　　弁作動ユニット
　４１　　　押し手段
　４１１　　押し部
　４２　　　制限ブロック
　４３　　　作動ロッド
　４３１　　作動ロッドの通孔
　４３３　　作動ロッドの一端部
　４３４　　作動ロッドの他端部
　４４　　　付勢手段
【図１】
0003099548.tif 000003
【図２】
0003099548.tif 000004
【図３】
0003099548.tif 000005
【図４】
0003099548.tif 000006
【図５】
0003099548.tif 000007